【手続補正書】
【提出日】平成15年10月6日(2003.10.6)
【手続補正１】
【補正対象書類名】明細書
【補正対象項目名】全文
【補正方法】変更
【補正の内容】
【発明の名称】ひったくり、置き引き、置き忘れ防止機器
【特許請求の範囲】
【請求項１】携帯に最適な硬さの適宜形状体、本機Ａ・本機Ｂ又は複数機に距離センサが作動する電源と電源スイッチとモード切り替えスイッチを設け、互いに距離判断可能にセンシング設定する。本機Ａ・本機Ｂ又は複数機間が任意の設定距離以上離れた場合、又は距離判断不可能状態になった場合、発音装置回路が作動し、モード切り替えスイッチ設定のブザー音、又は音声、バイブレーターが誘発作動することを特徴とする、ひったくり、置き引き、置き忘れ防止機器。
【請求項２】請求項１に記載の本機Ａ・本機Ｂ又は複数機において、発光体を設け作動する回路とスイッチを増設したことを特徴とする、引ったくり、置き引き、置き忘れ防止機器。
【発明の詳細な説明】
【０００１】
【発明の属する技術分野】
この発明は、ひったくり、置き引き、忘れ物等の身の回りに身につけている物が、意に反し移動した場合、警報音又はブザー音により、ひったくり、置き引きをする犯人を威嚇、驚かせ、他人に犯罪を知らせ未遂にする機器であり、又その物を置き忘れて離れてしまった場合は、本人にブザー音、又はバイブレーター等で知らせて置き忘れを防止する物に関する物である。
【０００２】
【従来の技術】
従来の技術として、公知されている防犯ブザーがありますが、本体に付いている紐などを引っ張る事により、ブザーを鳴らし威嚇、驚かせ周囲の人に知らせ犯罪を未遂にするものがあった、他に特許公開２０００−１８４０２１、防犯ブザー機能付き携帯電話、又、特許公開２００１−２６９２１２、防犯ブザーの付いた鞄のような先願はあるが、２先願共紐を持って引っ張るものである。
【０００３】
【発明が解決しようとする課題】
これらは、次のような欠点があった。
公知されている防犯ブザーの場合、本体に付いている紐などを引っ張る事により、ブザーを鳴らすものであり、実際その場に遭遇したとき防犯ブザーを探し紐を持って引っ張る事は、面倒で大変時間を要して犯人が逃げてしまう。又、実際その場に遭遇すると気が動転して防犯ブザーを探し紐を持って引っ張る事は至難の業である。  他に特許公開２０００−１８４０２１、防犯ブザー機能付き携帯電話、又は、特許公開２００１−２６９２１２、防犯ブザーの付いた鞄のような先願はあるが、２件共、紐を持って引っ張る事は至難の業で、しかも、ひったくり、置き引きの場合、両者共持ち去られてしまえば、無用である。
【０００４】
【課題を解決するための手段】
携帯に最適な硬さの適宜形状体、本機Ａ・本機Ｂ又は複数機に距離センサが作動する電源と電源スイッチとモード切り替えスイッチを設け、互いに距離判断可能にセンシング設定する。本機Ａ・本機Ｂ又は複数機間が任意の設定距離以上離れた場合、又は距離判断不可能状態になった場合、発音装置回路が作動し、モード切り替えスイッチ設定のブザー音、又は音声、バイブレーターが誘発作動することを特徴とするものである。他に請求項２の発光体を設け作動しうる回路とスイッチを増設したことを特徴とするものである。
本発明は、以上の構成よりなる、ひったくり、置き引き、置き忘れ防止機器である。
【０００５】
【発明の実施の形態】
以下、本発明の実施の形態について説明する。
携帯に最適な硬さの適宜形状体、本機Ａ・本機Ｂ又は複数機に距離センサが作動する電源と電源スイッチとモード切り替えスイッチを設け、互いに距離判断可能にセンシング設定する。
本機Ａ・本機Ｂ又は複数機間が任意の設定距離以上離れた場合、又は距離判断不可能状態になった場合、発音装置回路が作動し、モード切り替えスイッチ設定のブザー音、又は音声、バイブレーターが誘発作動することを特徴とするものである。
モード切り替えスイッチを説明すると、ブザー音は、威嚇、驚かせ、周囲の人に犯罪を知らせ未遂にする大きな音に設定し、音声は威嚇、驚かせ、周囲の人に犯罪を知らせる大きな声を設定し、置き忘れ防止の為の驚かせない声を設定し、バイブレーターは置き忘れ防止の周囲の人に分からずに本人に知らせる為の機能であり、それぞれを、モード切り替えスイッチで設定可能にします。又、音量ボリュームを増設し、音量調整可能である。
本機Ａ・本機Ｂ又は複数機共携帯出来る適宜形状体であり、バック、買い物袋等に簡単に付けられるストラップ状の物、又はキーホルダーの連結具状の物を装着可能にすると効果的である。
他に請求項２の発光体を設け作動しうる回路とスイッチを増設したことで、夜間歩行、夜間走行時に安全性をアップするものである。
本発明は、以上のような構造でこれを使用するときは、ひったくり、置き引き防止の設定は本機Ａ・本機Ｂ又は複数機共電源スイッチを入れ、モード切り替えスイッチをブザー音、又は威嚇、驚かせ、周囲の人に犯罪を知らせる声に設定します。設定距離は１ｍ位に設定し、本機Ａ・本機Ｂ又は複数機の一機をバック、買い物袋等に取り付ける。勿論、ひったくり、置き引きを防止するので本機Ａ・本機Ｂ又は複数機共、威嚇、驚かせ、他人に犯罪を知らせる事の出来る部位に取り付けます。実際、ひったくり、置き引きにあった場合は、、設定した大きなブザー音、又は威嚇、驚かせ、周囲の人に犯罪を知らせる大きな声が、本機Ａ・本機Ｂ又は複数機から発音、発声し犯人を威嚇、驚かせ、周囲の人に犯罪を知らせる事が出来る、又犯人は、ひったくり、置き引きする物品に、本発明品が取り付けてあるので、大きなブザー音、又は威嚇、驚かせ、周囲の人に犯罪を知らせる大きな声が鳴った物品を持ったまま逃げる事は、犯罪をした事を周囲の人に知らせてしまう事になるので離す事になります。
置き忘れ防止の設定は、本機Ａ・本機Ｂ又は複数機の電源スイッチを入れ、モード切り替えスイッチを驚かせない音の設定、又はバイブレーターに設定します。バイブレーターの設定の場合は、本機Ａ・本機Ｂ又は複数機一機を身体に身に付けます、その場所は、バイブレーター振動が感じる部位に取り付けます。たとえば、老人の杖等キーホルダーのように付けておけば置き忘れした時は、任意の設定距離以上離れた場合、又は距離判断不可能状態になった場合、発音装置回路が作動し、驚かせない音の設定、又はバイブレーターの設定により確認でき置き忘れ防止する事が出来ます。
各種の設定を操作しなくても、一つのスイッチで、威嚇、驚かせ、他人に犯罪を知らせる為の回路を増設する事で不意に危険を感じたとき、威嚇、驚かせ、周囲の人に犯罪を知らせる事が可能である。又、不意に危険を感じたとき引ったくり、置き引き防止の設定になっていれば、本機Ａ・本機Ｂ又は複数機の一機を設定距離以上離す、又は距離判断不可能状態になるよう投げるか離せば発音、発声し犯人を威嚇、驚かせ、周囲の人に犯罪を知らせる事が出来ます。
【０００６】
【発明の効果】
本発明は、従来の防犯ブザーの欠点を取り除き、最近、非常に多発している、バック等を持って歩行中のひったくり、自転車の籠に入れて、又は下げて走行中の、ひったくりを威嚇、驚かせ、周囲の人に犯罪を知らせ未遂にする事が出来、防止、阻止できる素晴らしい発明であります。
海外旅行、ホテルでのチェックイン、チェックアウト中の置き引きを威嚇、驚かせ、周囲の人に犯罪を知らせ未遂にする事が出来、防止、阻止できる素晴らしい発明であります。
又操作は簡単で設定しておけば、従来の防犯ブザーを探し紐などを引っ張る事により、ブザーを鳴らす煩わしさ等はなく、どんな時でも本機Ａ・本機Ｂ又は複数機から発音、発声し犯人を威嚇、驚かせ、周囲にいる人に犯罪を知らせる事が出来る非常に素晴らしい発明であります。
将来、高齢化になる日本国、老人の置き忘れ防止も可能な非常に素晴らしい発明であります。又、夜間歩行、特に深夜は自動車からは歩行者を確認しにくく危険である、また自転車の無灯火は、特に確認しにくく歩行者よりスピードが出ているので危険で事故の原因になります、本機Ａ・本機Ｂ又は複数機に発光体を設け作動する回路とスイッチを増設することで、持ち物又は身体に付けて置けば視認性が増し夜間走行時に安全性を向上させ、自動車からの歩行者、自転車の確認が出来るので非常に安全で防犯機能も充実した、素晴らしい、ひったくり、置き引き、置き忘れ防止機器であります。